(57)【要約】【課題】簡単に記録内容や空き容量を把握できるメモリカードを提供する。【解決手段】本体１２に電子ペーパ１８とジョグダイヤル１６を備え、メモリカード１０に記録されているファイルのインデックス情報が電子ペーパ１８に表示される。また、ジョグダイヤル１６を回転操作すると、コマ送りされ、押圧操作すると、空き容量の表示、バッテリ残量の表示に切り替えられる。【選択図】      図１
2007140677.tif 000002
【特許請求の範囲】
【請求項１】
電子機器に備えられたカードスロットに装着されて、内蔵するメモリにファイルが読み／書きされるメモリカードにおいて、
表示手段と、
前記メモリの空き容量を検出するメモリ空き容量検出手段と、
前記メモリ空き容量検出手段で検出された前記メモリの空き容量情報を前記表示手段に表示する表示制御手段と、
を備えたことを特徴とするメモリカード。
【請求項２】
電子機器に備えられたカードスロットに装着されて、内蔵するメモリにファイルが読み／書きされるメモリカードにおいて、
表示手段と、
ファイル送りを指示するファイル送り指示手段と、
前記メモリに記録されたファイルのインデックス情報を前記表示手段に表示させる表示制御手段であって、前記ファイル送り指示手段からのファイル送りの指示に応じて前記メモリに記録されたファイルのインデックス情報を所定の順番で前記表示手段に表示させる表示制御手段と、
を備えたことを特徴とするメモリカード。
【請求項３】
前記メモリの空き容量を検出するメモリ空き容量検出手段と、
前記表示手段に表示させる情報の切り替えを指示する表示切替指示手段と、
を備え、前記表示制御手段は、前記表示切替指示手段からの指示に応じて、前記メモリに記録されたファイルのインデックス情報と、前記メモリ空き容量検出手段で検出された前記メモリの空き容量情報とを切り替えて表示することを特徴とする請求項２に記載のメモリカード。
【請求項４】
内蔵するバッテリの容量を検出するバッテリ残量検出手段と、
前記表示手段に表示させる情報の切り替えを指示する表示切替指示手段と、
を備え、前記表示制御手段は、前記表示切替指示手段からの指示に応じて、前記メモリに記録されたファイルのインデックス情報と、前記バッテリ残量検出手段で検出された前記バッテリの残量情報とを切り替えて表示することを特徴とする請求項２に記載のメモリカード。
【請求項５】
前記メモリの空き容量を検出するメモリ空き容量検出手段と、
前記表示手段に表示させる情報の切り替えを指示する表示切替指示手段と、
を備え、前記表示制御手段は、前記表示切替指示手段からの指示に応じて、前記メモリに記録されたファイルのインデックス情報と、前記バッテリ残量検出手段で検出された前記バッテリの残量情報と、前記メモリ空き容量検出手段で検出された前記メモリの空き容量情報とを切り替えて表示することを特徴とする請求項４に記載のメモリカード。
【請求項６】
装着されたカードスロットから電源供給を受けて内蔵するバッテリを充電する充電手段を備えたことを特徴とする請求項１、２、３、４又は５に記載のメモリカード。
【請求項７】
前記表示手段が電子ペーパであることを特徴とする請求項１、２、３、４、５又は６に記載のメモリカード。
【発明の詳細な説明】
【技術分野】
【０００１】
本発明はメモリカードに係り、特にデジタルカメラ等の電子機器に備えられたカードスロットに装着されて、ファイルの読み／書きが行われるメモリカードに関する。
【背景技術】
【０００２】
一般にデジタルカメラでは、撮影された画像データをカメラ本体に着脱自在に装着されたメモリカードに記録する。このメモリカードは、年々記憶容量が増加しており、一枚のメモリカードに多数枚の画像が記録できるようになっている。
【０００３】
しかしながら、このように一枚のメモリカードに多数枚の画像が記録できるようになると、中にどのような画像が記録されているか分からなくなり、管理が大変になるという問題があった。特にメモリカードを複数枚所有している場合には、どのメモリカードにどのような画像が記録されているのか分からなくなりやすいという問題があった。
【０００４】
そこで、特許文献１では、メモリカードに電子ペーパを取り付け、この電子ペーパにメモリカードに記録されている画像の一つを表示させることが提案されている。
【特許文献１】特開２００４−４０４７１号公報
【発明の開示】
【発明が解決しようとする課題】
【０００５】
しかしながら、特許文献１の方法では、特定の画像一枚を表示するだけなので、記録枚数が増えた場合や時間を置いて撮影した画像が記録されている場合などにおいて、簡単に記録内容や空き容量を把握することができないという問題があった。
【０００６】
本発明は、このような事情に鑑みてなされたもので、簡単に記録内容や空き容量を把握できるメモリカードを提供することを目的とする。
【課題を解決するための手段】
【０００７】
請求項１に係る発明は、前記目的を達成するために、電子機器に備えられたカードスロットに装着されて、内蔵するメモリにファイルが読み／書きされるメモリカードにおいて、表示手段と、前記メモリの空き容量を検出するメモリ空き容量検出手段と、前記メモリ空き容量検出手段で検出された前記メモリの空き容量情報を前記表示手段に表示する表示制御手段と、を備えたことを特徴とするメモリカードを提供する。
【０００８】
請求項１に係る発明によれば、メモリの空き容量が表示手段に表示される。ユーザは、この表示手段の表示を見るだけで、簡単にメモリカードの空き容量を把握することができる。
【０００９】
請求項２に係る発明は、前記目的を達成するために、電子機器に備えられたカードスロットに装着されて、内蔵するメモリにファイルが読み／書きされるメモリカードにおいて、表示手段と、ファイル送りを指示するファイル送り指示手段と、前記メモリに記録されたファイルのインデックス情報を前記表示手段に表示させる表示制御手段であって、前記ファイル送り指示手段からのファイル送りの指示に応じて前記メモリに記録されたファイルのインデックス情報を所定の順番で前記表示手段に表示させる表示制御手段と、を備えたことを特徴とするメモリカードを提供する。
【００１０】
請求項２に係る発明によれば、メモリに記録されているファイルのインデックス情報（たとえば、サムネイル画像や記録日時、ファイル名等）が表示手段に表示され、ファイル送りの指示に応じて順番に表示が切り替えられる。ユーザは、この表示手段の表示を見るだけで、簡単にメモリカードの記録内容を把握することができる。
【００１１】
請求項３に係る発明は、前記目的を達成するために、前記メモリの空き容量を検出するメモリ空き容量検出手段と、前記表示手段に表示させる情報の切り替えを指示する表示切替指示手段と、を備え、前記表示制御手段は、前記表示切替指示手段からの指示に応じて、前記メモリに記録されたファイルのインデックス情報と、前記メモリ空き容量検出手段で検出された前記メモリの空き容量情報とを切り替えて表示することを特徴とする請求項２に記載のメモリカードを提供する。
【００１２】
請求項３に係る発明によれば、表示の切り替え指示に応じて表示手段に表示される情報が切り替えられる。すなわち、メモリに記録されているファイルのインデックス情報と、メモリの空き容量情報とが、切り替え指示に応じて交互に切り替えられて表示される。
【００１３】
請求項４に係る発明は、前記目的を達成するために、内蔵するバッテリの残量を検出するバッテリ残量検出手段と、前記表示手段に表示させる情報の切り替えを指示する表示切替指示手段と、を備え、前記表示制御手段は、前記表示切替指示手段からの指示に応じて、前記メモリに記録されたファイルのインデックス情報と、前記バッテリ残量検出手段で検出された前記バッテリの残量情報とを切り替えて表示することを特徴とする請求項２に記載のメモリカードを提供する。
【００１４】
請求項４に係る発明によれば、表示の切り替え指示に応じて表示手段に表示される情報が切り替えられる。すなわち、メモリに記録されているファイルのインデックス情報と、バッテリの残量情報とが、切り替え指示に応じて交互に切り替えられて表示される。
【００１５】
請求項５に係る発明は、前記目的を達成するために、前記メモリの空き容量を検出するメモリ空き容量検出手段と、前記表示手段に表示させる情報の切り替えを指示する表示切替指示手段と、を備え、前記表示制御手段は、前記表示切替指示手段からの指示に応じて、前記メモリに記録されたファイルのインデックス情報と、前記バッテリ残量検出手段で検出された前記バッテリの残量情報と、前記メモリ空き容量検出手段で検出された前記メモリの空き容量情報とを切り替えて表示することを特徴とする請求項４に記載のメモリカードを提供する。
【００１６】
請求項５に係る発明によれば、表示の切り替え指示に応じて表示手段に表示される情報が切り替えられる。すなわち、メモリに記録されているファイルのインデックス情報と、バッテリの残量情報と、メモリの空き容量情報とが、切り替え指示に応じて順番に切り替えられて表示される。
【００１７】
請求項６に係る発明は、前記目的を達成するために、装着されたカードスロットから電源供給を受けて内蔵するバッテリを充電する充電手段を備えたことを特徴とする請求項１、２、３、４又は５に記載のメモリカードを提供する。
【００１８】
請求項６に係る発明によれば、装着されたカードスロットから電源供給を受けて内蔵するバッテリが充電される。
【００１９】
請求項７に係る発明は、前記目的を達成するために、前記表示手段が電子ペーパであることを特徴とする請求項１、２、３、４、５又は６に記載のメモリカードを提供する。
【００２０】
請求項７に係る発明によれば、表示手段が電子ペーパで構成される。これにより、電力消費を抑えることができる。
【発明の効果】
【００２１】
本発明に係るメモリカードによれば、簡単に記録内容や空き容量を把握することができる。
【発明を実施するための最良の形態】
【００２２】
以下、添付図面に従って本発明に係るメモリカードを実施するための最良の形態について説明する。
【００２３】
図１は本発明が適用されたメモリカードの外観構成を示す斜視図である。本実施の形態のメモリカード１０は、主としてデジタルカメラに用いられ、デジタルカメラに備えられたメモリカードスロットに装着されて、撮影により得られた画像ファイルが記録される。
【００２４】
このメモリカード１０の本体１２は、薄い矩形の板状に形成されており、その先端面には端子１４が設けられている。また、後端面にはジョグダイヤル１６が設けられており、上面には電子ペーパ１８が設けられている。
【００２５】
端子１４は、メモリカード１０をメモリカードスロットに装着した際、メモリカードスロット側の端子と接続され、これにより、メモリカードスロットに通信可能に接続される。
【００２６】
ジョグダイヤル１６は、本体１２の後端面から一部が露出して設けられており、段階的に回転するように支持されている。すなわち、回転にクリック感が与えられるように支持されている。また、このジョグダイヤル１６は、本体１２の後端面に対して垂直に押圧可能に支持されており、この押圧と回転により、種々のコマンドが入力できるようにされている。なお、このようなジョグダイヤル１６の構成自体は公知技術であるので、ここでは、その具体的な構成の説明は省略する。
【００２７】
電子ペーパ１８は、メモリカード１０の表示部を構成し、メモリカード１０に記録されている画像のインデックス情報や空き容量の情報、バッテリ残量の情報が表示される。なお、この点については、後に詳述する。
【００２８】
図２は、本実施の形態のメモリカードの電気的構成を示すブロック図である。
【００２９】
同図に示すように、メモリカード１０は、主としてマイコン２０、インターフェイス回路２２、フラッシュメモリ２４、表示回路２６、電子ペーパ１８、操作回路２８、ジョグダイヤル１６、電源回路３０、バッテリ３２等で構成されている。
【００３０】
マイコン２０は、ＣＰＵ、ＲＯＭ、ＲＡＭを備え、所定の制御プログラムに従ってメモリカード１０の全体の動作を統括制御する。
【００３１】
インターフェイス回路２２は、マイコン２０による制御の下、端子１４を介して接続された外部機器との間でデータの送受信を行う。
【００３２】
フラッシュメモリ２４は、マイコン２０による制御の下、データの記録を行う。
【００３３】
表示回路２６は、マイコン２０による制御の下、電子ペーパ１８に所定の情報を表示する。
【００３４】
操作回路２８は、ジョグダイヤル１６の操作に応じた情報をマイコン２０に出力する。
【００３５】
電源回路３０は、マイコン２０による制御の下、バッテリ３２の充電を制御するとともに、バッテリ３２から各部への電源供給を制御する。また、バッテリ３２の残量を検出して、マイコン２０に出力する。
【００３６】
次に、本実施の形態のメモリカード１０の作用について説明する。
【００３７】
本実施の形態のメモリカード１０は、一般的なデジタルカメラ用のメモリカードと同様にデジタルカメラのカードスロットに装着されて、撮影により得られた画像ファイルが記録される。この一般的なメモリカードとしての機能に加えて本実施の形態のメモリカードは、本体１２に備えられた電子ペーパ１８に各種情報が表示できるようにされている。すなわち、内蔵するフラッシュメモリ２４に記録されている画像ファイルのインデックス情報やフラッシュメモリ２４の空き容量、内蔵するバッテリ３２の残量を表示できるようにされている。
【００３８】
ここで、この電子ペーパ１８に表示させる情報の切り替えはジョグダイヤル１６の押圧操作によって行われ、ジョグダイヤル１６が一回押圧操作されるたびに、図３に示すように、電子ペーパ１８の表示が、インデックス情報→メモリ空き容量→バッテリ残量の順に切り替えられる。すなわち、ジョグダイヤル１６を押圧操作すると、操作回路２８を介してマイコン２０に電子ペーパ１８の表示切り替えの指示が出力され、この切り換え指示に応じてマイコン２０が電子ペーパ１８の表示を切り替える。
【００３９】
このとき、メモリ空き容量を表示する場合は、フラッシュメモリ２４の空き容量を検出し、図３（ｂ）に示すように、たとえばグラフと数値で空き容量を表示する。
【００４０】
また、バッテリ残量を表示する場合は、電源回路３０を介してバッテリ３２の残量を検出し、図３（ｃ）に示すように、たとえば図形を用いて表示する（電池型の枠内に表示される目盛の数が残量に応じて減少する）。
【００４１】
また、インデックス情報を表示する場合は、メモリカード１０に最後に記録された画像ファイルのインデックス情報を読み出して、電子ペーパ１８に表示させる。
【００４２】
ここで、インデックス情報としては、画像ファイルに付加されたサムネイル画像を読み出して、電子ペーパ１８に表示させる。すなわち、画像ファイルがＥｘｉｆ形式場合には、図４に示すように、ヘッダ部に付属情報が記録され、その付属情報に本画像（撮影により得られた画像データ）を縮小したがサムネイル画像のデータ（サムネイルデータ）が記録されるので、そのサムネイルデータを読み出して、電子ペーパ１８に表示させる。
【００４３】
なお、この付属情報には、図５に示すように、バージョンに関する情報や画像データの特性に関する情報、構造に関する情報、ユーザ情報、関連ファイル情報、日時に関する情報、撮影条件に関する情報、ＩＦＤへのポインタに関する情報等の撮影した画像に関する撮影データがタグ形式で記録されるので、これらの情報をインデックス情報として読み出して、電子ペーパ１８に表示させるようにしてもよい。たとえば、図６（ａ）に示すように、サムネイル画像に代えてファイル名、撮影日時、画像サイズ、撮影条件（絞り値、シャッタ速度等）の情報を表示させるようにしてもよい。
【００４４】
また、サムネイル画像と共にこれらの情報を表示させるようにしてもよい。たとえば、図６（ｂ）に示すように、サムネイル画像とファイル名を表示させるようにしてもよいし、また、図６（ｃ）に示すように、サムネイル画像とファイル名、撮影日時、撮影条件を表示させるようにしてもよい。
【００４５】
また、電子ペーパ１８にインデックス情報が表示されている場合には、ジョグダイヤル１６の回転操作によってコマ送り（ファイル送り）が行われる。すなわち、ジョグダイヤル１６が正回転又は逆回転されると、操作回路２８を介してマイコン２０にコマ送り（正回転時）又はコマ戻し（逆回転時）の指示が出力され、この指示に応じてマイコン２０はコマ送り又はコマ戻しの処理を行う。
【００４６】
ここで、コマ送りの指示が出力されると、マイコン２０は、図７（ａ）に示すように、次の画像ファイル（たとえば、ファイル名順に整列させた時の次の画像ファイル）のインデックス情報（ここでは、サムネイルデータ）を読み出して、電子ペーパ１８に表示させる。
【００４７】
また、コマ戻しの指示が出力されると、マイコン２０は、図７（ｃ）に示すように、一つ前の画像ファイルのインデックス情報（ここでは、サムネイルデータ）を読み出して、電子ペーパ１８に表示させる。
【００４８】
以上説明したように、本実施の形態のメモリカード１０では、データ記録用の一般的なメモリカードとしての機能に加えて、本体１２に備えられた電子ペーパ１８に各種情報を表示させることができるので、管理が容易になる。
【００４９】
また、表示手段として電子ペーパを利用することにより、電力消費も抑えることができる。すなわち、電子ペーパは、書き換えを行わない限り、一度表示した内容は電力を消費することなくそのまま表示され続けるので、ＬＣＤ等の他の表示手段を用いた場合に比べて、電力消費を抑えることができる。
【００５０】
なお、本実施の形態では、表示手段として電子ペーパを用いているが、ＬＳＤや有機ＥＬパネルなどの他の表示手段を用いてもよい。
【００５１】
また、本実施の形態では、インデックス表示とメモリ空き容量表示とバッテリ残量表示を切り替えられるようにしているが、インデックス情報のみ、又は、フラッシュメモリの空き容量のみ、あるいは、バッテリの残量のみ表示するようにしてもよい。
【００５２】
また、これらの任意の組み合わせで切り替えて表示させるようにしてもよい。たとえば、インデックス表示とメモリ空き容量表示とを切り替えて表示するようにしてもよいし、インデックス表示とバッテリ残量表示とを切り替えて表示するようにしてもよい。また、メモリ空き容量表示とバッテリ残量表示とを切り替えて表示するようにしてもよい。
【００５３】
また、本実施の形態で示した各情報の表示方法は一例であり、他の表示方法を用いてもよい。
【００５４】
たとえば、フラッシュメモリの空き容量の表示に関して、図８（ａ）に示すように、空き容量を数値表示のみで表すようにしてもよいし、また、図８（ｂ）に示すように、目盛を用いてインジケータで表示するようにしてもよい。また、図８（ｃ）に示すように、全体に対する使用領域をパーセントで数値表示するとともに、空き容量を数値表示するようにしてもよい。
【００５５】
また、たとえば、バッテリ残量の表示に関して、図９（ａ）に示すように、バッテリ残量をパーセントで数値表示するようにしてもよいし、また、図９（ｂ）に示すように、目盛を用いてインジケータで表示するようにしてもよい。また、図８（ｃ）に示すように、円グラフを用いて表示するようにしてもよい。
【００５６】
このように、表示形態については、適宜変更することができる。
【００５７】
また、本実施の形態では、フラッシュメモリの空き容量の表示とバッテリの残量の表示とを別々に行うようにしているが、フラッシュメモリの空き容量とバッテリの残量を同時に表示するようにしてもよい。たとえば、図１０（ａ）に示すように、フラッシュメモリの空き容量とバッテリの残量とを目盛を用いてインジケータで表示するようにしてもよいし、図１０（ｂ）に示すように、フラッシュメモリの空き容量とバッテリの残量とをパーセントで数値表示するようにしてもよい。
【００５８】
また、図１１（ａ）に示すように、インデックス情報と共にフラッシュメモリの空き容量を表示してもよいし、また、図１１（ｂ）に示すように、インデックス情報と共にバッテリの残量を表示してもよい。さらに、図１１（ｃ）に示すように、インデックス情報と共にフラッシュメモリの空き容量とバッテリの残量を表示してもよい。
【００５９】
また、本実施の形態では、表示切り替えの指示手段として、ジョグダイヤル１６を用いているが、表示切り替えの指示手段は、これに限定されるものではない。たとえば、図１２に示すように、別途表示切り替え用のボタン１６Ａを本体１２に取り付け、このボタン１６Ａの押圧操作により、表示の切り替えを指示するようにしてもよい。
【００６０】
同様に本実施の形態では、コマ送り（ファイル送り）の指示手段としてジョグダイヤル１６を用いているが、コマ送りの指示手段は、これに限定されるものではない。たとえば、別途コマ送り／コマ戻し用のボタン１６Ｂ、１６Ｃを本体１２に取り付け（一方向にのみコマ送りする場合にはボタンは一つ）、このボタン１６Ｂ、１６Ｃの押圧操作により、コマ送り/コマ戻しの指示を行うようにしてもよい。
【００６１】
なお、表示の切り替えが不要な場合には、ジョグダイヤル１６の押圧機能は不要であり、コマ送りが不要な場合には、回転機能は不要である。
【００６２】
また、本実施の形態では、表示切り替えの態様として、ジョグダイヤル１６を押圧操作するたびに表示が順に切り替わるようにしているが、通常はインデックス表示を行い、ジョグダイヤル１６が押圧されている間だけフラッシュメモリの空き容量、及び／又は、バッテリ残量を電子ペーパ１８に表示させるようにしてもよい。
【００６３】
また、バッテリ３２は充電式の二次電池ではなく、交換可能な一次電池を用いる構成としてもよい。
【００６４】
また、二次電池を用いる場合には、メモリカード１０が装着されたカードスロットから電源供給を受けて充電する構成とすることが好ましい。
【００６５】
なお、上記のように、電子ペーパ１８は、情報の書き替え時のみ電力が必要なことから、ジョグダイヤル１６が操作されたときのみバッテリ３２から電力が供給されるようにしてもよい。
【００６６】
また、本実施の形態では、メモリカード１０に記録されている画像ファイルのインデックス情報の表示と、フラッシュメモリの空き容量の表示と、バッテリの残量の表示のみを行う場合を例に説明しているが、これら以外の機能を備えてもよい。たとえば、メモリカード１０に記録されている画像ファイルを消去する機能を設けてもよい。この場合、たとえば、図１３に示すように、本体１２に消去ボタン１７を設け、このボタン１７がインデックス情報の表示中に押されると、電子ペーパ１８にインデックス情報が表示されている画像ファイルが消去されるように構成する。
【００６７】
また、本実施の形態では、本体１２の先端面に端子１４が配列された構成としているが、端子１４の設置方法については、これに限定されるものではない。
【００６８】
また、本実施の形態では、メモリカード１０が装着されたメモリカードスロットとの間で端子同士を接触させて、データの送受信を行うようにしているが、無線でデータの送受信を行うようにしてもよい。たとえば、無線タグ（ＲＦＩＤ）を利用してデータを無線で送受信するようにしてもよい。これにより、端子を設ける必要がなくなり、接続不良等による不具合の発生を効果的に防止することができる。
【００６９】
なお、無線タグを利用してデータの送受信を行う場合には、次のようなデータのプロテクト機構を備えることが好ましい。すなわち、無線タグは、アンテナ用コイルを利用して信号の送受信を行うので、データプロテクト時には、このアンテナ用コイルを断線させ、データの上書き、消去を不能にする。これにより、誤消去を有効に防止することができる。
【００７０】
アンテナ用コイルを断線させる構成としては、図１４（ａ）に示すように、アンテナ用コイル４０の一部にシール４２を取り付け、このシール４２を剥がすと、図１４（ｂ）に示すように、アンテナ用コイル４０が断線するように構成する。これにより、簡単にデータをプロテクトすることができる。
【００７１】
また、たとえば、図１５に示すように、本体１２にスライド式のプロテクトスイッチ５０を設け、このプロテクトスイッチ５０を一方にスライドさせると、アンテナ用コイルが断線し、他方にスライドさせると、つながる構成とする。これにより、任意にプロテクトとプロテクト解除とを行うことができる。
【００７２】
なお、上記実施の形態では、本発明をデジタルカメラ用のメモリカードに適用した場合を例に説明したが、本発明の適用は、これに限定されるものではない。メモリカードスロットを備えた電子機器全てに利用可能なメモリカードに適用することができる。すなわち、パソコンやＰＤＡ、携帯電話機等に使用するメモリカードにも適用することができる。また、既存のメモリカードに適用することもできる。
【図面の簡単な説明】
【００７３】
【図１】メモリカードの外観構成を示す斜視図
【図２】メモリカードの電気的構成を示すブロック図
【図３】電子ペーパの表示例を示す図
【図４】Ｅｘｉｆ形式の画像ファイルの構造の説明図
【図５】Ｅｘｉｆ形式の画像ファイルに付加される付属情報の説明図
【図６】インデックス情報の表示例を示す図
【図７】コマ送りの説明図
【図８】フラッシュメモリの空き容量の表示例を示す図
【図９】バッテリの残量の表示例を示す図
【図１０】電子ペーパの表示例を示す図
【図１１】電子ペーパの表示例を示す図
【図１２】メモリカードの他の実施の形態の外観構成を示す斜視図
【図１３】メモリカードの他の実施の形態の外観構成を示す斜視図
【図１４】メモリカードの他の実施の形態の外観構成（裏面側）を示す斜視図
【図１５】メモリカードの他の実施の形態の外観構成を示す斜視図
【符号の説明】
【００７４】
１０…メモリカード、１２…本体、１４…端子、１６…ジョグダイヤル、１６Ａ…表示切り替え用のボタン、１６Ｂ…コマ送り用のボタン、１６Ｃ…コマ戻し用のボタン、１８…電子ペーパ、２０…マイコン、２２…インターフェイス回路、２４…フラッシュメモリ、２６…表示回路、２８…操作回路、３０…電源回路、３２…バッテリ、４０…アンテナ用コイル、４２…シール、５０…プロテクトスイッチ
【図１】
2007140677.tif 000003
【図２】
2007140677.tif 000004
【図３】
2007140677.tif 000005
【図４】
2007140677.tif 000006
【図５】
2007140677.tif 000007
【図６】
2007140677.tif 000008
【図７】
2007140677.tif 000009
【図８】
2007140677.tif 000010
【図９】
2007140677.tif 000011
【図１０】
2007140677.tif 000012
【図１１】
2007140677.tif 000013
【図１２】
2007140677.tif 000014
【図１３】
2007140677.tif 000015
【図１４】
2007140677.tif 000016
【図１５】
2007140677.tif 000017